(57)【要約】【課題】排水中のリンを、簡易な設備構成で効率よく、かつ、低コストに除去することができる技術を提供すること。【解決手段】リンを含む排水のｐＨを中性領域に調整後、該排水を濁度制御槽に導き、該濁度制御槽において、アルミナ・シリカ質粒子を添加して、排水の濁度を調整した上で、カチオン系有機凝集剤である第１の高分子凝集剤を添加して撹拌後、アニオン系有機凝集剤またはアニオン系有機凝集剤とノニオン系有機凝集剤とからなる第２の高分子凝集剤を添加し、電荷が中性となる状態を形成してフロックを生成させ、前記の生成したフロックを、シックナーにより汚泥と上澄水とに分離し、前記リンを該汚泥に吸着させて除去する。【選択図】図１
2015192976.tif 000002
【特許請求の範囲】
【請求項１】
リンを含む排水のｐＨを中性領域に調整後、該排水を濁度制御槽に導き、該濁度制御槽において、アルミナ・シリカ質粒子を添加して、排水の濁度を調整した上で、カチオン系有機凝集剤である第１の高分子凝集剤を添加して撹拌後、アニオン系有機凝集剤またはアニオン系有機凝集剤とノニオン系有機凝集剤とからなる第２の高分子凝集剤を添加し、電荷が中性となる状態を形成してフロックを生成させ、前記の生成したフロックを、シックナーにより汚泥と上澄水とに分離し、前記リンを該汚泥に吸着させて除去することを特徴とする排水中のリン除去方法。
【請求項２】
前記アルミナ・シリカ質粒子としてガイシ仮焼物を粉砕して得た粒子を使用し、前記濁度制御槽において、排水の濁度を１０００〜１００００ｍｇ／Ｌに調整することを特徴とする請求項１記載の排水中のリン除去方法。
【請求項３】
前記シックナーで分離された汚泥を濁度制御槽に導くとともに、前記アルミナ・シリカ質粒子としてガイシ仮焼物を粉砕して得た粒子を使用し、該濁度制御槽において、排水の濁度を２０００〜２００００ｍｇ／Ｌに調整することを特徴とする請求項１記載の排水中のリン除去方法。
【請求項４】
前記シックナーで分離された汚泥を１００〜４００メッシュに調整して濁度制御槽に導くとともに、前記アルミナ・シリカ質粒子としてガイシ仮焼物を粉砕して得た粒子およびガイシ焼成物を粉砕して得た粒子を使用し、該濁度制御槽において、排水の濁度を１０００〜４００００ｍｇ／Ｌに調整することを特徴とする請求項１記載の排水中のリン除去方法。
【請求項５】
前記ガイシ仮焼物を粉砕して得た粒子を６０〜２００メッシュに調整し、前記濁度制御槽中の排水に、１−５％添加することを特徴とする請求項２〜４の何れかに記載の排水中のリン除去方法。
【請求項６】
前記ガイシ焼成物を粉砕して得た粒子を１５０〜２００メッシュに調整し、前記濁度制御槽中の排水に、０．１−３％添加することを特徴とする請求項４の排水中のリン除去方法。
【請求項７】
濁度の調整は、前記濁度制御槽に加水しながら行うことを特徴とする請求項１〜６の何れかに記載の排水中のリン除去方法。
【請求項８】
前記第１の高分子凝集剤が、ジメチルアミノエチルメタクリエート（ＤＭＡ）またはＤＭＡの４級塩とアクリルアミドとの共重合物であることを特徴とする請求項１〜７の何れか記載の排水中のリン除去方法。
【請求項９】
前記第２の高分子凝集剤が、アニオン系単独、アニオン系とノニオン系との混合、アニオン系及びノニオン系、ノニオン系の何れかであることを特徴とする請求項１〜８の何れか記載の排水中のリン除去方法。
【請求項１０】
濁度制御槽と、該濁度制御槽内へ加水を行う加水手段と、濁度が制御された排水にカチオン系の第１の高分子凝集剤を添加・攪拌する第一攪拌槽と、さらにアニオン系またはノニオン系の第２の高分子凝集剤を添加・攪拌する第２攪拌槽と、フロックを沈降分離するシックナーと、その上澄水の砂ろ過装置とからなる排水中のリン除去装置であって、
該濁度制御槽は、排水の濁度を計測する濁度計測手段と、該濁度計測手段の計測結果に基づき、加水手段から水を加えて、あるいはシックナーからの汚泥を混合し、濁度を制御する濁度制御手段を備えることを特徴とする排水中のリン除去装置。
【請求項１１】
シックナーから排出された汚泥を粒径により分別する手段と、分別された汚泥を濁度制御槽に返送する手段とを備えたことを特徴とする請求項１０記載の排水中のリン除去装置。
【請求項１２】
濁度制御槽に、アルミナ・シリカ質粒子を供給する手段を設けたことを特徴とする請求項１１記載の排水中のリン除去装置。
【発明の詳細な説明】
【技術分野】
【０００１】
本発明は、排水中の溶解性リンの除去方法および排水中のリン除去装置に関するものである。
【背景技術】
【０００２】
化学工業、食品工業、医薬工業、肥料工業等、リン化合物を扱う各種工場から排出される排水中に含まれる溶解性リンを除去する技術として、凝集剤として硫酸アルミニウム（硫酸バンド）、ポリ塩化アルミニウム（ＰＡＣ）等のアルミニウム塩や、硫酸第１鉄、塩化第２鉄等の鉄塩を用い、リンを凝集沈殿させる手法が広く採用されている。
【０００３】
上記手法では、多量の凝集剤を連続して使用するため、処理コストが高く付き、また凝集剤から大量の沈殿物が汚泥として発生する問題がある。この問題を解消する技術として、排水を膜分離処理した後、ジルコニウムフェライト水和物を構成材料とするリン吸着剤で吸着処理を行う技術が開示されている（特許文献１）。
【０００４】
しかし、特許文献１の技術では、膜分離装置が必要であって、リンの除去設備構成が複雑になる問題や、高価なジルコニウムフェライト水和物の使用を前提とするため、処理コストが嵩む問題があった。
【先行技術文献】
【特許文献】
【０００５】
【特許文献１】特開平１１−１４７０８８号公報
【発明の概要】
【発明が解決しようとする課題】
【０００６】
本発明の目的は前記問題を解決し、排水中の溶解性リンを、特許文献１の技術に比べて、簡易な設備構成で効率よく、かつ、低コストに除去することができる技術を提供することである。
ここで溶解性リンとは、オルトリン酸態リン、重合リン酸態リンなどの無機態リンおよび溶解性有機リンを言う。
【０００７】
上記課題を解決するためになされた請求項１記載の排水中の溶解性リンの除去方法は、リンを含む排水のｐＨを中性領域に調整後、該排水を濁度制御槽に導き、該濁度制御槽において、アルミナ・シリカ質粒子を添加して、排水の濁度を調整した上で、カチオン系有機凝集剤である第１の高分子凝集剤を添加して撹拌後、アニオン系有機凝集剤またはアニオン系有機凝集剤とノニオン系有機凝集剤とからなる第２の高分子凝集剤を添加し、電荷が中性となる状態を形成してフロックを生成させ、前記の生成したフロックを、シックナーにより汚泥と上澄水とに分離し、前記リンを該汚泥に吸着させて除去することを特徴とするものである。
【０００８】
請求項２記載の発明は、請求項１記載の排水中のリン除去方法において、前記アルミナ・シリカ質粒子としてガイシ仮焼物を粉砕して得た粒子を使用し、前記濁度制御槽において、排水の濁度を１０００〜１００００ｍｇ／Ｌに調整することを特徴とするものである。
【０００９】
請求項３記載の発明は、請求項１記載の排水中のリン除去方法において、前記シックナーで分離された汚泥を濁度制御槽に導くとともに、前記アルミナ・シリカ質粒子としてガイシ仮焼物を粉砕して得た粒子を使用し、該濁度制御槽において、排水の濁度を２０００〜２００００ｍｇ／Ｌに調整することを特徴とするものである。
【００１０】
請求項４記載の発明は、請求項１記載の排水中のリン除去方法において、前記シックナーで分離された汚泥を１００〜４００メッシュに調整して濁度制御槽に導くとともに、前記アルミナ・シリカ質粒子としてガイシ仮焼物を粉砕して得た粒子およびガイシ焼成物を粉砕して得た粒子を使用し、該濁度制御槽において、排水の濁度を１０００〜４００００ｍｇ／Ｌに調整することを特徴とするものである。
【００１１】
請求項５記載の発明は、請求項２〜４の何れかに記載の排水中のリン除去方法において、前記ガイシ仮焼物を粉砕して得た粒子を６０〜２００メッシュに調整し、前記濁度制御槽中の排水に、１−５％添加することを特徴とするものである。
【００１２】
請求項６記載の発明は、請求項４の排水中のリン除去方法において、前記ガイシ焼成物を粉砕して得た粒子を１５０〜２００メッシュに調整し、前記濁度制御槽中の排水に、０．１−３％添加することを特徴とするものである。
【００１３】
請求項７記載の発明は、請求項１〜６の何れかに記載の排水中のリン除去方法において、濁度の調整は、前記濁度制御槽に加水しながら行うことを特徴とするものである。
【００１４】
請求項８記載の発明は、請求項１〜７の何れか記載の排水中のリン除去方法において、前記第１の高分子凝集剤が、ジメチルアミノエチルメタクリエート（ＤＭＡ）またはＤＭＡの４級塩とアクリルアミドとの共重合物であることを特徴とするものであある。
【００１５】
請求項９記載の発明は、請求項１〜８の何れか記載の排水中のリン除去方法において、前記第２の高分子凝集剤が、アニオン系単独、アニオン系とノニオン系との混合、アニオン系及びノニオン系、ノニオン系の何れかであることを特徴とするものである。
【００１６】
請求項１０記載の発明は、濁度制御槽と、該濁度制御槽内へ加水を行う加水手段と、濁度が制御された排水にカチオン系の第１の高分子凝集剤を添加・攪拌する第一攪拌槽と、さらにアニオン系またはノニオン系の第２の高分子凝集剤を添加・攪拌する第２攪拌槽と、フロックを沈降分離するシックナーと、その上澄水の砂ろ過装置とからなる排水中のリン除去装置であって、該濁度制御槽は、排水の濁度を計測する濁度計測手段と、該濁度計測手段の計測結果に基づき、加水手段から水を加えて、あるいはシックナーからの汚泥を混合し、濁度を制御する濁度制御手段を備えることを特徴とするものである。
【００１７】
請求項１１記載の発明は、請求項１０記載の排水中のリン除去装置において、シックナーから排出された汚泥を粒径により分別する手段と、分別された汚泥を濁度制御槽に返送する手段とを備えたことを特徴とするものである。
【００１８】
請求項１２記載の発明は、請求項１１記載の排水中のリン除去装置において、濁度制御槽に、アルミナ・シリカ質粒子を供給する手段を設けたことを特徴とするものである。
【発明の効果】
【００１９】
本発明に係る排水中のリン除去方法では、リンを含む排水のｐＨを中性領域に調整後、該排水を濁度制御槽に導き、該濁度制御槽において、アルミナ・シリカ質粒子としてガイシ仮焼物を添加して、排水の濁度を調整した上で、カチオン系有機凝集剤である第１の高分子凝集剤を添加して撹拌後、アニオン系有機凝集剤またはアニオン系有機凝集剤とノニオン系有機凝集剤とからなる第２の高分子凝集剤を添加し、電荷が中性となる状態を形成してフロックを生成させ、前記の生成したフロックを、シックナーにより汚泥と上澄水とに分離し、前記リンは凝集剤によって電荷が中性になった該汚泥に吸着させて除去する。本発明の方法によれば、高価なジルコニウムフェライト水和物は不要であり、低コストにリンの凝集処理を行うことができる。また、本発明の方法によれば、短時間で安定したフロック生成ができ、大掛かりな膜分離装置を用いることなく、また、夏冬の水温変化によらずリンの高い除去効果が得られる。
【００２０】
更に、本発明の方法によれば、汚泥の発生量も低減することができる。また、水膨張性アニオン性高分子凝集剤のような特殊な凝集剤を用いる必要もないので、処理コストを安価に抑制することができる。
【００２１】
請求項６記載の発明によれば、ガイシ焼成物を粉砕して得た粒子が核形成剤として作用し、密度の大きなフロックが形成され、固液分離が容易となり、結果的にシックナーの清澄化度が早まり多量処理が可能となる。
【図面の簡単な説明】
【００２２】
【図１】実施形態１を説明するフロー図である。
【図２】実施形態２を説明するフロー図である。
【図３】実施形態３を説明するフロー図である。
【発明を実施するための形態】
【００２３】
下記の実施形態では、何れも、リン化合物を扱う各種工場から排出される排水中に含まれるリンの凝集沈澱処理を行っている。凝集沈殿処理の前工程として、たとえばリン青銅製造工程等での酸洗処理で発生した排水は、予め銅の回収を目的にｐＨ９程度に中和して水酸化銅を生成させ、銅を回収後の溶解性リンを含む排水は苛性ソーダでｐＨ７の中性処理を実施している。
【００２４】
（実施形態１）
実施形態１では、図１に示すように、排水のｐＨを中性領域とするｐＨ調整後、排水を濁度制御槽に導く。
【００２５】
濁度制御槽への粒子添加手段が設けられており、例えば碍子製造工場から排出されるガイシ仮焼物（碍子原料を成形後、焼成前に仮焼きした状態のもの）を粉砕して得たアルミナ・シリカ質粒子を排水に０.１〜５．０％添加混合し、更に、必要に応じて加水手段により加水を行って、排水の濁度を１０００〜１００００ｍｇ／Ｌに調整した上で、カチオン系有機凝集剤である第１の高分子凝集剤を添加する。アルミナ・シリカ質粒子の粒径を６０〜２００メッシュに調整することで安定的なフロック形成が可能となり、固液分離が短時間で容易となる。６０メッシュより小さいか、２００メッシュより大きいとフロック形成に難があり、固液分離が困難になる。なお、濁度制御槽に添加されるアルミナ・シリカ質の添加量の増加に伴って、排水の濁度は上昇する。
【００２６】
このように、排水の濁度を１０００〜1００００ｍｇ／Ｌに調整した上で、高分子凝集剤を添加することにより、安定したフロック形成が可能となる。排水の濁度が１０００ｍｇ／Ｌ未満では、リンの除去効果が十分に発揮されないため好ましくない。なお、リンの除去効果の観点からは、排水の濁度は高いほど好ましいが、一方で、排水の濁度が1００００ｍｇ／Ｌを超えると、添加されたアルミナ・シリカ質粒子に起因する濁りが新たな問題となるほか、発生する汚泥量も増加してしまう。本実施形態では、上限を1００００ｍｇ／Ｌに規定することにより、前記新たな濁りの問題を回避することができる。
【００２７】
なお、本発明における「排水の濁度（ｍｇ／Ｌ）」とは、清製水１Ｌの中に１ｍｇのカオリンが含まれている時の濁りをカオリン濁度１と表すカオリン濁度標準に基づくものである。また、本発明における濁度とは、散乱光濁度（試料中の粒子によって散乱した光の強度を波長６６０ｎｍ付近で測定し、カオリン標準液を用いて作成した検量線から求められる。測定は、散乱光濁度計を使用する。）を意味する。
【００２８】
ここで第1の高分子凝集剤としてはカチオン系高分子凝集剤を選択することが好ましく、特にカチオン系高分子凝集剤の一部または全部が、ジメチルアミノエチルメタクリレート（ＤＭＡ）、またはＤＭＡの４級塩とアクリルアミドとの共重合物であることが好ましい。その添加量は１〜１０ｍｇ／Ｌとするのが好ましく、排水の濁度の上昇とともに、その添加量も増加させるのが好ましい。
【００２９】
この第1の高分子凝集剤は負に荷電したリンに電気的に吸着してフロックを形成するとともに、全体を正に荷電させる役割を持つ。このためには任意のカチオン系高分子凝集剤を使用することができるが、実験の結果によれば分子量が２５０万〜４５０万のＤＭＡ、好ましくは３００〜４００万の分子量が好適であった。またＤＭＡの４級塩とアクリルアミドとの共重合物は、分子量が７００万〜７５０万のものがフロック形成に最適であった。
【００３０】
フロック形成に最適な分子量が存在する理由は、分子量が大きすぎると、高分子自身が絡まって球状となりやすく、懸濁粒子との相互作用が弱くなってフロック形成がしにくくなり、また分子量が小さすぎると懸濁粒子と高分子との接触度合いが減少し、大きなフロックの形成が起こりにくくなるためである。また上述のように高分子凝集剤が別の成分との共重合体の場合、懸濁粒子と高分子の相互作用が影響を受けるため、最適な分子量がシフトするためである。
【００３１】
このようにして第1の高分子凝集剤を添加し撹拌したうえで、第２の高分子凝集剤を添加する。その添加量は１〜１０ｍｇ／Ｌとするのが好ましく、排水の濁度の上昇とともに、その添加量も増加させるのが好ましい。
【００３２】
この第２の高分子凝集剤は、第1の高分子凝集剤により正に荷電した状態から電荷が中性となる状態とするためのものであり、アニオン系有機凝集剤単独、あるいはアニオン系有機凝集剤とノニオン系有機凝集剤とを混合したものが用いられる。混合の場合には、ノニオン系有機凝集剤が全体の９０％を超えないようにする。ノニオン系有機凝集剤がそれ以上となると、電荷を中性に戻す効果が不十分になるためである。
【００３３】
ここでアニオン系有機凝集剤及びノニオン系有機凝集剤が、高分子凝集剤であることが好ましく、特にポリアクリル酸ソーダとポリアクリルアミドとの共重合物、あるいはポリアクリルアミドを用いることが好ましい。その理由は完全には解明されていないが、分子量及びコロイド当量が適しているためと考えられる。特に前記した分子量が２５０万〜４５０万のＤＭＡまたは分子量が７００万〜７５０万のＤＭＡの４級塩とアクリルアミドとの共重合物からなる第1の高分子凝集剤との組み合わせにより、粒径が５ｍｍ以上の巨大なフロックを効率よく生成させることができる。
【００３４】
第２の高分子凝集剤を添加し撹拌することにより電荷が中性となると、凝集作用が高まってフロックが巨大化するとともに高密度化し、速やかに沈降する。この操作は安定的に行わせることができ、フロック生成は短時間で進行し、生成したフロックはろ過性が良好でシックナーにより容易に固液分離を行うことができる。排水中に含まれリンの大部分は汚泥として除去され、フロックを分離した上澄水は砂ろ過装置を通し、監視槽で濁度のチェックを行った上で放流される。
【００３５】
本実施形態によれば、排水中の溶解性リン量は環境省が制定したリンの一律排水基準（１６ｍｇ／Ｌ）をクリアーすることができる。また、無機系凝集剤を使用しないため、フロックを脱水した脱水ケーキの発生量は僅かであり、処理コストを抑制することができる。
【００３６】
（実施形態２）
図２は実施形態２を説明するフロー図であり、そのフローは基本的に実施形態１の発明と同様であるが、本実施形態では、シックナーで分離された汚泥を濁度制御槽に導くとともに、ガイシ仮焼物（碍子原料を成形後、焼成前に仮焼きした状態のもの）を粉砕して得たアルミナ・シリカ質粒子を、排水に対し０.１〜５．０％の割合で添加して混合し、更に、必要に応じて加水手段により加水を行って、排水の濁度を２０００〜２００００ｍｇ／Ｌに調整した上で、カチオン系有機凝集剤である第１の高分子凝集剤の添加を行っている。本実施形態では、このように、排水の濁度を２０００〜２００００ｍｇ／Ｌに調整した上で、高分子凝集剤を添加することにより、安定したフロック形成が可能となる。
【００３７】
前記のように、リンの除去効果の観点からは、排水の濁度は高いほど好ましいが、上記実施形態１のように、ガイシ仮焼物の添加のみにより濁度濃度の調整を行う場合、コストの観点から、必要最低量として、排水の濁度の下限を１０００ｍｇ／Ｌに規定していた。これに対し、本実施形態では、シックナーで分離された汚泥を併用し、容易かつ低コストに濁度濃度を前記範囲に調整することができるため、排水の濁度の下限を２０００ｍｇ／Ｌとしている。
【００３８】
また、シックナーで分離された汚泥を併用する本実施形態によれば、排水の濁度が２００００ｍｇ／Ｌ未満であれば、濁度調整用に添加されたアルミナ・シリカ質粒子に起因する新たな濁りの問題を回避することができる。
【００３９】
更に、本実施形態のように、返送汚泥を混合することにより、より、大きな密度のあるフロックを安定して形成することが可能となる。このような大きなフロックは吸蔵吸着効果が大きく、リンの除去効果が高いうえ、短時間で固液分離が可能で処理水の清澄性が向上する利点がある。
【００４０】
（実施形態３）
図３は実施形態４を説明するフロー図であり、そのフローは基本的に実施形態２の発明と同様であるが、本実施形態では、シックナーで分離された汚泥を１００〜４００メッシュに調整して濁度制御槽に導くとともに、ガイシ仮焼物（碍子原料を成形後、焼成前に仮焼きした状態のもの）を粉砕して得たアルミナ・シリカ質粒子を、排水に対し０.１〜５．０％の割合で添加して混合し、更に、ガイシ焼成物（碍子原料を成形と仮焼き後、更に、焼成して得られた最終製品）を粉砕して得たアルミナ・シリカ質粒子を、排水に対し０.１〜３．０％の割合で添加して混合し、必要に応じて加水手段により加水を行って、排水の濁度を１０００〜４００００ｍｇ／Ｌに調整した上で、カチオン系有機凝集剤である第１の高分子凝集剤の添加を行っている。本実施形態では、このように、排水の濁度を１０００〜４００００ｍｇ／Ｌに調整した上で、高分子凝集剤を添加することにより、安定したフロック形成が可能となる。
【００４１】
なお、シックナー底部に溜まった汚泥は概して凝集していることが多いが、本実施形態のように、粒子サイズを分別して返送することにより、濁度濃度を容易にあげることができ且つ排水の濁度を多くすることが出来る。
【００４２】
また、本実施形態では、ガイシ焼成物を粉砕して得たアルミナ・シリカ質粒子が核形成剤として作用するため、密度の大きなフロックが短時間で形成されて固液分離が容易となり、このような大きなフロックは吸蔵吸着効果が大きく、リンの除去効果が高いため、シックナーの清澄化度が早まり多量処理が可能となる。このため本実施形態によれば、排水の濁度が４００００ｍｇ／Ｌ未満であれば、濁度調整用に添加されたアルミナ・シリカ質粒子に起因する新たな濁りの問題を回避することができる。
【００４３】
本実施形態において、ガイシ焼成物を粉砕して得たアルミナ・シリカ質粒子とは、具体的には、ムライト、コランダム、シリカの複合体からなる比重２．９５のセルベンや、あるいは、単一組成のムライトやコランダムを意味する。
【実施例】
【００４４】
図１のフローに示す方法（実施例１）および図２のフローに示す方法（実施例２）および、溶解性リンを含む排水に硫酸バンドを添加し、その後、アルカリによる水酸化物形成での溶解性リン量を調べる方法（比較例）により、リンを含む排水の処理を行った結果を表１に示している。何れも、排水の濁度は、１００００ｍｇ／Ｌに調整し、第1の高分子凝集剤の添加量を１ｐｐｍ、第２の高分子凝集剤の添加量を１ｐｐｍとした。濁度は表面散乱形濁度計（横河電機(株)製ＴＢ４００Ｇ）を用いて測定し、Ｐ濃度はモリブデン青法で測定した。
【００４５】
【表１】
2015192976.tif 000003
【００４６】
表１に示すように、本発明によれば、大掛かりな装置を用いることなくリンの凝集処理を行うことができる。なお、比較例では、溶解性リン量は環境省が制定したリンの一律排水基準（1６ｍｇ／Ｌ）をクリアーすることができなかった。
【００４７】
シックナーで分離された汚泥を濁度制御槽に導く効果を検討するため、図２のフローに示す方法において、第1の高分子凝集剤および第２の高分子凝集剤の種類を変えて、リンを含む排水の処理を行った結果（実施例４〜８）および、図１のフローに示す方法において、リンを含む排水の処理を行った結果（実施例９）を表２に示している。何れも、排水の濁度は、２００００ｍｇ／Ｌに調整し、第1の高分子凝集剤の添加量を３ｐｐｍ、第２の高分子凝集剤の添加量を３ｐｐｍとした。濁度は表面散乱形濁度計（横河電機(株)製ＴＢ４００Ｇ）を用いて測定し、Ｐ濃度はモリブデン青法で測定した。
【００４８】
【表２】
2015192976.tif 000004
【００４９】
表２に示すように、シックナーで分離された汚泥を濁度制御槽に導く上記実施形態２の方法によれば、上記実施形態１の方法に比べて、より優れたリンの除去効果を奏することができる。
【００５０】
アルミナ・シリカ質粒子としてガイシ仮焼物を粉砕して得た粒子およびガイシ焼成物を粉砕して得た粒子を併用する効果を検討するため、図３のフローに示す方法において、第1の高分子凝集剤および第２の高分子凝集剤の種類を変えて、リンを含む排水の処理を行った結果（実施例１０〜１４）および、図２のフローに示す方法において、リンを含む排水の処理を行った結果（実施例１５，１６）を表３に示している。何れも、排水の濁度は、４００００ｍｇ／Ｌに調整し、第1の高分子凝集剤の添加量を５ｐｐｍ、第２の高分子凝集剤の添加量を５ｐｐｍとした。濁度は表面散乱形濁度計（横河電機(株)製ＴＢ４００Ｇ）を用いて測定し、Ｐ濃度はモリブデン青法で測定した。
【００５１】
【表３】
2015192976.tif 000005
表３に示すように、アルミナ・シリカ質粒子としてガイシ仮焼物を粉砕して得た粒子およびガイシ焼成物を粉砕して得た粒子を併用する上記実施形態３の方法によれば、上記実施形態２の方法に比べて、より優れたリンの除去効果を奏することができる。
【００５２】
なお、上記表１〜３において、「ＤＭＡ」はジメチルアミノエチルメタクリレート、「ＤＡＡ」はジメチルアミノエチルアクリレート、「ＰＡＮ＋共」はポリアクリル酸ソーダとポリアクリルアミドとの共重合物、「ＰＡＮ」はポリアクリル酸ソーダ、「ＰＡＡ」はポリアクリルアミド、「ＰＡ」はポリアミジン系、「ＰＡＣ」は塩化アルミを意味する。
【図１】
2015192976.tif 000006
【図２】
2015192976.tif 000007
【図３】
2015192976.tif 000008